(57)【特許請求の範囲】
【請求項１】
カメラユニット固有の特性を測定して得られた固有データを、当該カメラユニットに対応付けて固有データ専用記憶手段に記憶させる段階と、
前記固有データ専用記憶手段から固有データを取得し、前記固有データを前記カメラユニットが搭載されるべき携帯電話機に内蔵された記憶手段に設定する段階とからなる固有データ設定方法であって、
前記固有データを前記携帯電話機の通信機能を用いて取得することを特徴とする固有データ設定方法。
【請求項２】
請求項１に記載の固有データ設定方法において、
前記携帯電話機の入力手段から入力される前記カメラユニットの識別番号に基づいて前記固有データを前記固有データ専用記憶手段から取得することを特徴とする固有データ設定方法。
【請求項３】
請求項１または２に記載の固有データ設定方法において、
前記固有データ専用記憶手段は、前記カメラユニット固有の特性を測定する際に用いられるホストコンピュータに付属する記憶手段であることを特徴とする固有データ設定方法。
【請求項４】
カメラユニットに設けられた接続プラグに、当該カメラユニット固有の特性を測定して得られた固有データに対応する凹凸部を形成する段階と、
前記カメラユニットが搭載されるべき携帯電話機に設けられ前記接続プラグが嵌合可能なソケット部に、前記接続プラグの凹凸部を検出する検出部を設ける段階と、
前記検出部によって検出された前記接続プラグの凹凸部に基づいて前記固有データを前記携帯電話機の通信機能を用いて取得し前記携帯電話機の記憶手段に設定する段階とからなる固有データ設定方法。
【請求項５】
カメラユニットに設けられた接続プラグに、当該カメラユニット固有の特性を測定して得られた固有データに対応する導電部及び非導電部を設ける段階と、
前記カメラユニットが搭載されるべき携帯電話機に設けられ前記接続プラグが嵌合可能なソケット部に、前記接続プラグの導電部及び非導電部を検出する検出部を設ける段階と、
前記検出部によって検出された前記接続プラグの導電部及び非導電部に基づいて前記固有データを前記携帯電話機の通信機能を用いて取得し前記携帯電話機の記憶手段に設定する段階とからなる固有データ設定方法。
【請求項６】
カメラユニットに設けられた接続プラグに、当該カメラユニット固有の特性を測定して得られた固有データに対応する発光部及び非発光部を設ける段階と、
前記カメラユニットが搭載されるべき携帯電話機に設けられ前記接続プラグが嵌合可能なソケット部に、前記接続プラグの発光部及び非発光部を検出する検出部を設ける段階と、
前記検出部によって検出された前記接続プラグの発光部及び非発光部に基づいて前記固有データを前記携帯電話機の通信機能を用いて取得し前記携帯電話機の記憶手段に設定する段階とからなる固有データ設定方法。
【請求項７】
固有データ専用記憶手段と、
カメラユニット固有の特性を測定して得られた固有データを、当該カメラユニットに対応付けて前記固有データ専用記憶手段に記憶させる書き込み手段と、
前記固有データ専用記憶手段から固有データを携帯電話機の通信機能を用いて取得する手段と、
前記取得した固有データを前記カメラユニットが搭載されるべき前記携帯電話機に内蔵された記憶手段に設定する設定手段と、
を備えたことを特徴とする固有データ設定システム。
【請求項８】
請求項７に記載の固有データ設定システムにおいて、
前記携帯電話機の入力手段から入力される前記カメラユニットの識別番号に基づいて前記固有データを前記固有データ専用記憶手段から取得することを特徴とする固有データ設定システム。
【請求項９】
請求項７または８に記載の固有データ設定システムにおいて、
前記固有データ専用記憶手段は、前記カメラユニット固有の特性を測定する際に用いられるホストコンピュータに付属する記憶手段であることを特徴とする固有データ設定システム。
【請求項１０】
カメラユニットに設けられた接続プラグに、当該カメラユニット固有の特性を測定して得られた固有データに対応する凹凸部を形成し、
前記カメラユニットが搭載されるべき携帯電話機に設けられ前記接続プラグが嵌合可能なソケット部に、前記接続プラグの凹凸部を検出する検出部を設け、
前記検出部によって検出された前記接続プラグの凹凸部に基づいて前記固有データを前記携帯電話機の通信機能を用いて取得し、
前記取得した固有データを前記携帯電話機の記憶手段に設定するように構成したことを特徴とする固有データ設定システム。
【請求項１１】
カメラユニットに設けられた接続プラグに、当該カメラユニット固有の特性を測定して得られた固有データに対応する導電部及び非導電部を設け、
前記カメラユニットが搭載されるべき携帯電話機に設けられ前記接続プラグが嵌合可能なソケット部に、前記接続プラグの導電部及び非導電部を検出する検出部を設け、
前記検出部によって検出された前記接続プラグの導電部及び非導電部に基づいて前記固有データを前記携帯電話機の通信機能を用いて取得し、
前記取得した固有データを前記携帯電話機の記憶手段に設定するように構成したことを特徴とする固有データ設定システム。
【請求項１２】
カメラユニットに設けられた接続プラグに、当該カメラユニット固有の特性を測定して得られた固有データに対応する発光部及び非発光部を設け、
前記カメラユニットが搭載されるべき携帯電話機に設けられ前記接続プラグが嵌合可能なソケット部に、前記接続プラグの発光部及び非発光部を検出する検出部を設け、
前記検出部によって検出された前記接続プラグの発光部及び非発光部に基づいて前記固有データを前記携帯電話機の通信機能を用いて取得し、
前記固有データを前記携帯電話機の記憶手段に設定するように構成したことを特徴とする固有データ設定システム。
【発明の詳細な説明】
【技術分野】
【０００１】
本発明は、カメラ付き携帯電話機の特性調整のための固有データ設定方法及び固有データ設定システムに関する。
【背景技術】
【０００２】
近年、デジタルカメラ等の撮像装置は、高機能化、低価格化が進み、急速に普及しつつある。デジタルカメラを生産する場合、生産効率の点からカメラユニット（又はレンズユニット）とカメラ本体部とを別々に製造し、最終工程で組み立てることが行われる。【０００３】
しかしながら、カメラユニットは多数の部品の集合体であり、撮像素子の感度やレンズの基準位置等の物理的寸法、電気的特性等に起因する個体差を有しており、各カメラユニット固有の特性を有している。組み立て後の各装置相互間で均一な性能を保証するためには、カメラユニットの特性を個々に調整することが必要である。そこで、各カメラユニットに固有の固有データを予め測定してカメラユニット内の記憶手段に記憶させておき、カメラ本体側にカメラユニットを組み付けたとき、カメラ本体側が組み合わされたカメラユニットの固有データを記憶手段から取得する技術が提案されている（例えば、特許文献１、特許文献２参照。）。【０００４】
また、デジタルカメラの小型化、軽量化に伴い、他の電子機器との機能の複合化が進み、例えば、携帯電話機やＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の携帯情報端末にデジタルカメラを搭載した機器が実用化されている。【０００５】
このようなカメラ付き携帯情報端末では、レンズや撮像素子等、撮像動作に必要な構成要素を含むカメラユニットが携帯情報端末本体に対して着脱可能に構成されている場合がある。これにより、カメラユニットや携帯情報端末本体をそれぞれ独立して製造することができ、各種の携帯情報端末に対応可能な汎用性のあるカメラユニットを提供することができる。【０００６】
しかし、このようなカメラユニットと携帯情報端末本体とを別々に生産する場合においても上記の各カメラユニットの特性上の個体差の問題は同様に起こり得る。【０００７】
一方、カメラユニット内に固有データを記憶する記憶手段が無い場合には、カメラユニットを携帯情報端末本体に組み付けた後にカメラユニットの固有データを測定することが必要となる。
【特許文献１】特開平５−３１３０６２号公報
【特許文献２】特開平８−９５１４４号公報
【発明の開示】
【発明が解決しようとする課題】
【０００８】
しかし、前者のカメラユニット内の記憶手段に固有データが記憶されている例では、記憶手段に固有データのための記憶領域が必要となり、その結果、カメラユニットの容積が大きくなり、また、コストもかかるという問題があった。また、後者のカメラユニット内に固有データを記憶するための記憶手段が無い場合には、携帯情報端末本体と接続した後に、固有データを測定しなければならないため、調整作業の効率化が望めず、また、カメラユニットを容易に交換することができなかった。【０００９】
本発明は、上記の従来技術における問題に鑑みてなされたものであって、カメラユニットの小型化及びコスト削減を図ることを課題とする。また、本発明は、カメラユニットを本体に搭載する際、又はカメラユニットを交換する際の作業の効率化を図ることを課題とする。本発明は上記課題を達成するため、以下の項目に記載の特徴を備えている。
【課題を解決するための手段】
【００１０】
請求項１に記載の発明は、カメラユニット固有の特性を測定して得られた固有データを、当該カメラユニットに対応付けて固有データ専用記憶手段に記憶させておき、前記固有データ専用記憶手段から固有データを取得し、前記固有データを前記カメラユニットが搭載されるべき携帯電話機に内蔵された記憶手段に設定する固有データ設定方法であって、前記固有データを前記携帯電話機の通信機能を用いて取得することを特徴とする。
【００１１】
請求項２に記載の発明は、請求項１に記載の固有データ設定方法において、前記携帯電話機の入力手段から入力される前記カメラユニットの識別番号に基づいて前記固有データを前記固有データ専用記憶手段から取得することを特徴とする。
【００１６】
請求項３に記載の発明は、請求項１または２に記載の固有データ設定方法において、前記固有データ専用記憶手段は、前記カメラユニット固有の特性を測定する際に用いられるホストコンピュータに付属する記憶手段であることを特徴とする。
【００１８】
請求項４に記載の発明は、固有データ設定方法であって、カメラユニットに設けられた接続プラグに、当該カメラユニット固有の特性を測定して得られた固有データに対応する凹凸部を形成し、前記カメラユニットが搭載されるべき携帯電話機に設けられ前記接続プラグが嵌合可能なソケット部に、前記接続プラグの凹凸部を検出する検出部を設け、前記検出部によって検出された前記接続プラグの凹凸部に基づいて前記固有データを前記携帯電話機の通信機能を用いて取得し前記携帯電話機の記憶手段に設定することを特徴とする。
【００１９】
請求項５に記載の発明は、固有データ設定方法において、カメラユニットに設けられた接続プラグに、当該カメラユニット固有の特性を測定して得られた固有データに対応する導電部及び非導電部を設け、前記カメラユニットが搭載されるべき携帯電話機に設けられ前記接続プラグが嵌合可能なソケット部に、前記接続プラグの導電部及び非導電部を検出する検出部を設け、前記検出部によって検出された前記接続プラグの導電部及び非導電部に基づいて前記固有データを前記携帯電話機の通信機能を用いて取得し前記携帯電話機の記憶手段に設定することを特徴とする。
【００２０】
請求項６に記載の発明は、固有データ設定方法において、カメラユニットに設けられた接続プラグに、当該カメラユニット固有の特性を測定して得られた固有データに対応する発光部及び非発光部を設け、前記カメラユニットが搭載されるべき携帯電話機に設けられ前記接続プラグが嵌合可能なソケット部に、前記接続プラグの発光部及び非発光部を検出する検出部を設け、前記検出部によって検出された前記接続プラグの発光部及び非発光部に基づいて前記固有データを前記携帯電話機の通信機能を用いて取得し前記携帯電話機の記憶手段に設定することを特徴とする。
【００２１】
請求項７に記載の発明は、固有データ設定システムにおいて、固有データ専用記憶手段と、カメラユニット固有の特性を測定して得られた固有データを、当該カメラユニットに対応付けて前記固有データ専用記憶手段に記憶させる書き込み手段と、前記固有データ専用記憶手段から固有データを携帯電話機の通信機能を用いて取得する手段と、前記取得した固有データを前記カメラユニットが搭載されるべき前記携帯電話機に内蔵された記憶手段に設定する設定手段と、を備えたことを特徴とする。
【００２２】
請求項８に記載の発明は、請求項７に記載の固有データ設定システムにおいて、前記携帯電話機の入力手段から入力される前記カメラユニットの識別番号に基づいて前記固有データを前記固有データ専用記憶手段から取得することを特徴とする。
【００２７】
請求項９に記載の発明は、請求項７または８に記載の固有データ設定システムにおいて、前記固有データ専用記憶手段は、前記カメラユニット固有の特性を測定する際に用いられるホストコンピュータに付属する記憶手段であることを特徴とする。
【００２８】
請求項１０に記載の発明は、固有データ設定システムにおいて、カメラユニットに設けられた接続プラグに、当該カメラユニット固有の特性を測定して得られた固有データに対応する凹凸部を形成し、前記カメラユニットが搭載されるべき携帯電話機に設けられ前記接続プラグが嵌合可能なソケット部に、前記接続プラグの凹凸部を検出する検出部を設け、前記検出部によって検出された前記接続プラグの凹凸部に基づいて前記固有データを前記携帯電話機の通信機能を用いて取得し、前記取得した固有データを前記携帯電話機の記憶手段に設定するように構成したことを特徴とする。
【００２９】
請求項１１に記載の発明は、固有データ設定システムにおいて、カメラユニットに設けられた接続プラグに、当該カメラユニット固有の特性を測定して得られた固有データに対応する導電部及び非導電部を設け、前記カメラユニットが搭載されるべき携帯電話機に設けられ前記接続プラグが嵌合可能なソケット部に、前記接続プラグの導電部及び非導電部を検出する検出部を設け、前記検出部によって検出された前記接続プラグの導電部及び非導電部に基づいて前記固有データを前記携帯電話機の通信機能を用いて取得し、前記取得した固有データを前記携帯電話機の記憶手段に設定するように構成したことを特徴とする。
【００３０】
請求項１２に記載の発明は、固有データ設定システムにおいて、カメラユニットに設けられた接続プラグに、当該カメラユニット固有の特性を測定して得られた固有データに対応する発光部及び非発光部を設け、前記カメラユニットが搭載されるべき携帯電話機に設けられ前記接続プラグが嵌合可能なソケット部に、前記接続プラグの発光部及び非発光部を検出する検出部を設け、前記検出部によって検出された前記接続プラグの発光部及び非発光部に基づいて前記固有データを前記携帯電話機の通信機能を用いて取得し、前記固有データを前記携帯電話機の記憶手段に設定するように構成したことを特徴とする。
【図面の簡単な説明】
【００３１】
【図１】本発明の実施の形態の携帯電話機１の外観構成図である。
【図２】携帯電話機１の概略構成図である。
【図３】実施例1のカメラユニット３の固有データをＩＣタグ７に記憶させる方法を説明するための図である。
【図４】実施例1のＩＣタグ７に記憶されているカメラユニット３の固有データを本体ユニット２に記憶させる方法を説明するための図である。
【図５】実施例2のカメラユニット３の固有データをＤＢ５ａに記憶させる方法を説明するための図である。
【図６】ＤＢ５ａに記憶されている固有データの例を示す図である。
【図７】実施例2のＤＢ５ａに記憶されているカメラユニット３の固有データを本体ユニット２に記憶させる方法を説明するための図である。
【図８】実施例３の本体ユニット２の入力手段２４を用いてカメラユニット３の固有データを本体ユニット２に記憶させる方法を説明するための図である。
【図９】固有データ参照テーブル２９１の例を示す図である。
【図１０】実施例４のカメラユニット３の外観構成図である。
【図１１】実施例４のカメラユニット３と本体ユニット２とを接続した状態を示す図である。
【符号の説明】
【００３２】
１  携帯電話機
２  本体ユニット
２ａ  画像データ入力端子
２ｂ  制御信号端子
２０  ソケット部
２１  ＣＰＵ
２２  無線通信手段
２３  通信手段
２４  入力手段
２５  表示手段
２６  ＲＯＭ
２７  ＲＡＭ
２８  画像メモリ
２９  Ｆ−ＲＯＭ
３  カメラユニット
３ａ  画像データ出力端子
３ｂ  制御信号端子
３１  レンズ
３２  撮像素子
３３  接続プラグ
４  測定装置
５  ホストコンピュータ
５ａ  ＤＢ
６  ＩＣタグライター
７  ＩＣタグ
８  ＩＣタグリーダー
９  ＰＣＮ  通信ネットワーク
【発明を実施するための最良の形態】
【００３３】
以下、本発明を実施するための最良の形態を説明する。この実施の形態は本発明を携帯情報端末としての携帯電話機について適用した例である。【００３４】
図１に、携帯電話機１の外観構成を示す。図１に示すように、携帯電話機１の本体ユニット２にカメラユニット３が搭載されている。【００３５】
図２に、携帯電話機１の概略構成を示す。図２に示すように、本体ユニット２とカメラユニット３とが電気的に接続されている。画像データは画像データ入力端子２ａと画像データ出力端子３ａとの間に接続された信号線を介して送受される。制御信号は制御信号端子２ｂと制御信号端子３ｂとの間に接続された信号線を介して送受される。【００３６】
詳細は図示しないが、カメラユニット３には、レンズ、レンズの焦点位置を調整するアクチュエータ、ズーム調整をおこなうアクチュエータ、レンズを経由して入射される光学像を電気信号に変換する撮像素子、各アクチュエータを制御する制御プロセッサ等が内蔵されており、記憶手段を有していない。【００３７】
このような構成を有するカメラユニット３は、カメラユニット３毎に異なる固有の特性を有する。この特性を表す固有データとしては、例えば、撮像素子の感度や色データ、欠陥画素位置、レンズの基準位置、過焦点位置、マクロ位置等が挙げられる。このような固有データをカメラユニット３に記憶手段を内蔵させることなく、カメラユニット３を本体ユニット２に接続する以前の状態で何らかの方法で格納しておくことができれば、カメラユニット３の特性の測定タイミングの設定の自由度、組立作業あるいはカメラユニット３の交換の効率化等の点において有益である。【００３８】
かかる固有データの格納態様に応じた実施例を以下に説明する。
【実施例１】
【００３９】
実施例１は、固有データをＩＣタグ７に記憶させるようにした固有データ設定システムである。【００４０】
図３に示すように、カメラユニット３は、レンズ３１、撮像素子３２等を備える。レンズ３１は、ガラス又はプラスチックからなり、撮像素子３２に被写体像を結像する。撮像素子３２として、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられ、レンズ３１を介して入力される画像を電気信号に変換し、画像データを生成する。このようなカメラユニット３が複数（ｎ個）存在する。【００４１】
測定装置４は、カメラユニット３の固有データをそれぞれ測定し、ホストコンピュータ５に出力する。カメラユニット３の固有データとは、カメラユニット３の個体差データをいい、撮影画像に大きく影響する。したがって、製品性能を保証するためには、撮影時に固有データを用いて、個体差の影響を調整する必要がある。ホストコンピュータ５はＨＤＤ等のＤＢ（データベース）記憶手段５ａを備えており、測定装置４で測定された固有データがカメラユニット３毎にＤＢ５ａに記憶される。また、ホストコンピュータ５は、ＩＣタグライター６により、ＩＣタグ７のＩＣチップに固有データを記憶させる。すなわち、ＩＣタグライター６は、固有データをＩＣチップに記憶させる書き込み手段としての機能を有する。このようにして、ｎ個のカメラユニット３にそれぞれ対応したＩＣタグ７が作成される。【００４２】
ＩＣタグ７は、対応するカメラユニット３に貼付されていてもよいが、対応するカメラユニット３とＩＣタグ７とがそれぞれ識別可能に関連付けられて管理されていれば、ＩＣタグ７が配置される位置は限定しない。【００４３】
次に、図４を参照して、ＩＣタグ７に記憶されているカメラユニット３の固有データを本体ユニット２に記憶設定させる方法を説明する。【００４４】
図４に示すように、本体ユニット２は、ＣＰＵ（Ｃｅｎｔｒａｌ  Ｐｒｏｃｅｓｓｉｎｇ  Ｕｎｉｔ）２１、無線通信手段２２、通信手段２３、入力手段２４、表示手段２５、ＲＯＭ（Ｒｅａｄ  Ｏｎｌｙ  Ｍｅｍｏｒｙ）２６、ＲＡＭ（Ｒａｎｄｏｍ  Ａｃｃｅｓｓ  Ｍｅｍｏｒｙ）２７、画像メモリ２８、Ｆ−ＲＯＭ（Ｆｌａｓｈ−ＲＯＭ）２９を備える。【００４５】
ＣＰＵ２１は、入力手段２４から入力される各種指示や、無線通信手段２２又は通信手段２３から入力されるデータに従って、ＲＯＭ２６に記憶されている携帯電話機１に対応する各種プログラムの中から指定されたプログラムをＲＡＭ２７のワークエリアに展開し、上記プログラムとの協働によって各種処理を実行し、その処理結果をＲＡＭ２７の所定の領域に格納するとともに、表示手段２５に表示させる。【００４６】
無線通信手段２２は、ＣＰＵ２１の指示に従って、無線基地局（図示せず）との間で送受話音声の送受信やデータ通信を実行する。【００４７】
通信手段２３は、ＣＰＵ２１の指示に従って、外部機器とデータの送受信を行う。本体ユニット２と外部機器とは、例えば、ＵＳＢ（Ｕｎｉｖｅｒｓａｌ  Ｓｅｒｉａｌ  Ｂｕｓ）やＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）により接続されていてもよいし、ネットワーク接続されていてもよい。また、カードメディア等を介してデータの授受を行うこととしてもよい。【００４８】
入力手段２４は、数字キー、各種機能キー、画像の撮影時に使用するレリーズスイッチ等を備え、各キー操作による押下信号をＣＰＵ２１に出力する。【００４９】
表示手段２５は、ＬＣＤ（Ｌｉｑｕｉｄ  Ｃｒｙｓｔａｌ  Ｄｉｓｐｌａｙ）パネル等により構成され、ＣＰＵ２１から入力される表示データに基づいて画面表示を行う。また、表示手段２５は、撮影時に撮像素子３２から取り込まれた画像データをプレビュー表示するとともに、撮影した画像データを表示する。【００５０】
ＲＯＭ２６は、不揮発性の半導体メモリで構成される。ＲＯＭ２６は、ＣＰＵ２１により実行される携帯電話機用の各種アプリケーションプログラムや通信処理プログラム等を記憶する。【００５１】
ＲＡＭ２７は、書き換え可能な半導体素子で構成される。ＲＡＭ２７は、データが一時的に保存される記憶媒体であり、ＣＰＵ２１が実行するためのプログラムを展開するためのプログラムエリア、入力手段２４や無線通信手段２２、通信手段２３から入力されるデータやＣＰＵ２１による各種処理結果等を保存するためのデータエリア等が形成される。【００５２】
画像メモリ２８は、半導体メモリ等から構成され、撮影された画像データを記憶する。【００５３】
Ｆ−ＲＯＭ２９は、電気的に消去及び書き換えが可能な不揮発性メモリの一種であり、カメラユニット３の固有データを記憶する。【００５４】
カメラユニット３を本体ユニット２に搭載する際、又はカメラユニット３を交換する際には、ＰＣ９と接続されたＩＣタグリーダー８により、カメラユニット３に対応するＩＣタグ７から固有データが読み出される。すなわち、ＩＣタグリーダー８は、ＩＣタグ７から固有データを読み出す読み出し手段としての機能を有する。そして、読み出された固有データは本体ユニット２に送信される。本体ユニット２のＣＰＵ２１は、通信手段２３を介して受信した固有データをＦ−ＲＯＭ２９に記憶させる。すなわち、ＰＣ９及び本体ユニット２のＣＰＵ２１は、固有データをＦ−ＲＯＭ２９に設定する設定手段としての機能を有する。【００５５】
以上のように、カメラユニット３の固有データを予めＩＣタグ７に記憶させておき、ＩＣタグ７から固有データを読み出し、読み出した固有データを本体ユニット２に内蔵されたＦ−ＲＯＭ２９に設定するので、カメラユニット３自体に固有データを記憶するための記憶手段が不要となり、カメラユニット３の小型化及びコスト削減を図ることができる。また、カメラユニット３を本体ユニット２に搭載する際、又は修理時やバージョンアップ時等、カメラユニット３を交換する際の作業の効率化を図ることができる。したがって、カメラユニット３の種類を自由に選択することが可能となる。【００５６】
なお、実施例１では、カメラユニット３の固有データを記憶する固有データ専用記憶手段としてＩＣタグ７を用いた例について説明したが、固有データ専用記憶手段としてバーコードを用いることとしてもよい。この場合には、予め測定されたカメラユニット３の固有データをバーコードで表現し、カメラユニット３に貼付又は関連付けて表記しておく。そして、バーコードを専用の読取装置で読み出し、読み出した固有データを本体ユニット２のＦ−ＲＯＭ２９に記憶させる。バーコードは、固有データのデータ量に応じて、１次元バーコードであってもよいし、２次元バーコードであってもよい。また、カメラユニット３の固有データを記憶する固有データ専用記憶手段は、上記の他、光学的記憶媒体又は磁気的記憶媒体等であってもよい。
【実施例２】
【００５７】
次に、本発明を適用した実施例２について説明する。【００５８】
実施例２における携帯電話機は、実施例1に示した携帯電話機１と同様の構成であるため、同一の構成部分については同一の符号を付し、その構成については説明を省略する。以下、実施例２に特徴的な処理について説明する。【００５９】
実施例２は、固有データをホストコンピュータ５に付属するＤＢ５ａに記憶させるようにした固有データ設定システムである。【００６０】
図５に示すように、測定装置４は、カメラユニット３の固有データをそれぞれ測定し、ホストコンピュータ５に出力する。ホストコンピュータ５に備えられたＤＢ５ａには、測定装置４で測定された固有データがカメラユニット３毎にカメラユニット３のＩＤ番号と対応付けられて記憶される。すなわち、ホストコンピュータ５は、固有データをＤＢ５ａに記憶させる書き込み手段としての機能を有する。図６に、ＤＢ５ａに記憶されている固有データの例を示す。図６に示すように、カメラユニット３のＩＤ番号毎（No.00001〜FFFFF）に固有データ１〜４の値が格納される。図６に示す例では、ＩＤ番号00001のカメラユニット３の固有データ１は１００、固有データ２は５、固有データ３は３０、固有データ４は５１２である。【００６１】
次に、図７を参照して、ＤＢ５ａに記憶されているカメラユニット３の固有データを本体ユニット２に記憶設定させる方法を説明する。【００６２】
図７に示すように、ホストコンピュータ５とＰＣ９とは通信ネットワークＮを介して接続可能となっている。通信ネットワークＮとして、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、電話回線網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線網、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線網、移動体通信網、通信衛星回線、ＣＡＴＶ回線、光通信回線、無線通信回線等を含む構成でもよい。【００６３】
カメラユニット３を本体ユニット２に搭載する際、又はカメラユニット３を交換する際には、ＰＣ９の入力手段から該当するカメラユニット３のＩＤ番号が入力され、入力されたＩＤ番号に対応する固有データが通信ネットワークＮを介してホストコンピュータ５のＤＢ５ａから読み出される。すなわち、ＰＣ９は、ＤＢ５ａから固有データを読み出す読み出し手段としての機能を有する。そして、読み出された固有データは本体ユニット２に送信される。本体ユニット２のＣＰＵ２１は、通信手段２３を介して受信した固有データをＦ−ＲＯＭ２９に記憶させる。【００６４】
以上のように、カメラユニット３の固有データを予めホストコンピュータ５に備えられたＤＢ５ａに記憶させておき、通信ネットワークＮを介してＤＢ５ａから固有データを読み出し、読み出した固有データを本体ユニット２に内蔵されたＦ−ＲＯＭ２９に設定するので、カメラユニット３自体に固有データを記憶するための記憶手段が不要となり、カメラユニット３の小型化及びコスト削減を図ることができる。また、カメラユニット３を本体ユニット２に搭載する際、又は修理時やバージョンアップ時等、カメラユニット３を交換する際の作業の効率化を図ることができる。したがって、カメラユニット３の種類を自由に選択することが可能となる。【００６５】
なお、実施例２では、複数のカメラユニット３の固有データを各カメラユニット３のＩＤ番号と対応付けてＤＢ５ａに記憶させておき、通信ネットワークＮを介してＤＢ５ａから固有データを読み出すこととしたが、複数のカメラユニット３の固有データを各カメラユニット３のＩＤ番号と対応付けてＣＤ−ＲＯＭ等の光学的記憶媒体又は磁気的記憶媒体に記憶させておくこととしてもよい。この場合、ＰＣ９の入力手段から該当するカメラユニット３のＩＤ番号を入力し、入力されたＩＤ番号に対応する固有データをＰＣ９に備えられた読取装置によりＣＤ−ＲＯＭ等から読み出して本体ユニット２のＦ−ＲＯＭ２９に記憶させる。
【実施例３】
【００６６】
次に、本発明を適用した実施例３について説明する。【００６７】
実施例３における携帯電話機は、実施例1に示した携帯電話機１と同様の構成であるため、同一の構成部分については同一の符号を付し、その構成については説明を省略する。以下、実施例３に特徴的な処理について説明する。【００６８】
実施例３は、本体ユニット２の入力手段２４から入力されるデータに基づいて固有データを設定するようにした固有データ設定システムである。【００６９】
カメラユニット３の固有データは予め測定されており、測定された固有データに基づいて、各カメラユニット３の識別番号が決定される。識別番号は、カメラユニット３に対応する固有データを特定するための番号であり、カメラユニット３の固有データ測定後、カメラユニット３又は容器等に印字される。【００７０】
図８を参照して、本体ユニット２の入力手段２４を用いてカメラユニット３の固有データを本体ユニット２に記憶設定させる方法を説明する。【００７１】
Ｆ−ＲＯＭ２９には、固有データを特定するための固有データ参照テーブル２９１が予め記憶されている。図９に、固有データ参照テーブル２９１の例を示す。図９（ａ）は固有データ１の参照テーブルであり、固有データ１は１００〜１５９までの値を取り得る。参照テーブルの列と行に相当する２つの数字の組み合わせにより、１００〜１５９までの値を示すことができる。図９（ｂ）は固有データ２の参照テーブルであり、固有データ２は０〜１０までの値を取り得る。図９（ｃ）は固有データ３の参照テーブルであり、固有データ３は１０〜４９までの値を取り得る。図９（ｄ）は固有データ４の参照テーブルであり、固有データ４は５００〜５５９までの値を取り得る。【００７２】
カメラユニット３を本体ユニット２に搭載する際、又はカメラユニット３を交換する際には、本体ユニット２の入力手段２４からカメラユニット３の識別番号が入力される。そして、入力された識別番号に基づいて、Ｆ−ＲＯＭ２９に記憶されている固有データ参照テーブル２９１が参照され、カメラユニット３の固有データが取得される。【００７３】
例えば、識別番号が「１００５１１５９」の場合には、１番目の数字「１」と２番目の数字「０」が図９（ａ）に示す固有データ１の参照テーブルの列と行を示している。すなわち、１列０行に格納されている値「１１０」が固有データ１の値として取得される。同様に、３番目の数字「０」と４番目の数字「５」が図９（ｂ）に示す固有データ２の参照テーブルの列と行を示しており、固有データ２の参照テーブルにおいて０列５行に格納されている値「５」が固有データ２の値として取得される。また、５番目の数字「１」と６番目の数字「１」が図９（ｃ）に示す固有データ３の参照テーブルの列と行を示しており、固有データ３の参照テーブルにおいて１列１行に格納されている値「２１」が固有データ３の値として取得される。また、７番目の数字「５」と８番目の数字「９」が図９（ｄ）に示す固有データ４の参照テーブルの列と行を示しており、固有データ４の参照テーブルにおいて５列９行に格納されている値「５５９」が固有データ４の値として取得される。【００７４】
このように取得された固有データは、Ｆ−ＲＯＭ２９に記憶される。【００７５】
以上のように、カメラユニット３の固有データを測定しておき、カメラユニット３が搭載された本体ユニット２の入力手段２４を介して識別番号を入力し、入力された識別番号に基づいて固有データを本体ユニット２のＦ−ＲＯＭ２９に設定するので、カメラユニット３自体に固有データを記憶するための記憶手段が不要となり、カメラユニット３の小型化及びコスト削減を図ることができる。また、カメラユニット３を本体ユニット２に搭載する際、又は修理時やバージョンアップ時等、カメラユニット３を交換する際の作業の効率化を図ることができる。したがって、カメラユニット３の種類を自由に選択することが可能となる。【００７６】
なお、実施例３では、本体ユニット２の入力手段２４からカメラユニット３の識別番号が入力され、入力された識別番号に基づいて、Ｆ−ＲＯＭ２９に記憶されている固有データ参照テーブル２９１が参照され、カメラユニット３の固有データが取得されることとしたが、本体ユニット２の入力手段２４からカメラユニット３の固有データを直接入力することとしてもよい。【００７７】
また、図９に示した固有データ参照テーブル２９１をネットワーク接続可能なホストコンピュータに付属するＤＢに予め記憶させておき、入力手段２４から入力される識別番号に基づいて、携帯電話機の通信機能を用いて固有データを取得することとしてもよい。【００７８】
また、実施例３では、本体ユニット２の入力手段２４からカメラユニット３の識別番号が入力されることとしたが、カメラユニット３を用いて固有データが記録された２次元バーコード等を撮影することにより、カメラユニット３の固有データを取得することとしてもよい。
【実施例４】
【００７９】
次に、本発明を適用した実施例４について説明する。【００８０】
実施例４における携帯電話機は、実施例1に示した携帯電話機１と同様の構成であるため、同一の構成部分については同一の符号を付し、その構成については図示及び説明を省略する。以下、実施例４に特徴的な構成及び処理について説明する。【００８１】
実施例４は、カメラユニット３に設けられた接続プラグ３３に、固有データに対応する凹凸部３３ａを形成するようにした固有データ設定システムである。【００８２】
図１０に、カメラユニット３の外観構成を示す。図１０に示すように、本体ユニット２と接続するためにカメラユニット３に設けられた接続プラグ３３に、予め測定されたカメラユニット３の固有データに対応する凹凸部３３ａを形成しておく。【００８３】
このカメラユニット３の接続プラグ３３に形成された凹凸部３３ａに基づいてカメラユニット３の固有データを本体ユニット２に記憶設定させる方法を説明する。【００８４】
図１１に、カメラユニット３と本体ユニット２とを接続した状態を示す。図１１に示すように、本体ユニット２には、カメラユニット３の接続プラグ３３が嵌合可能なソケット部２０が設けられている。また、ソケット部２０には、接続プラグ３３の凹凸部３３ａに対応して移動可能な複数の可動部２０ａと、可動部２０ａにそれぞれ設けられた接点２０ｂと、可動部２０ａが接続プラグ３３の凸部に押圧されるときに接点２０ｂと接する位置に固定された接点２０ｃと、が設けられている。【００８５】
カメラユニット３と本体ユニット２とを接続する際に、カメラユニット３の接続プラグ３３の凹凸部３３ａが検出される。例えば、可動部２０ａが接続プラグ３３の凸部に押圧され、接点２０ｂと接点２０ｃとが接する場合を「０」、接続プラグ３３の凹部に対応した位置において接点２０ｂと接点２０ｃとが接しない場合を「１」として、接続プラグ３３の凹凸部３３ａが検出される。すなわち、可動部２０ａ、接点２０ｂ及び接点２０ｃは、接続プラグ３３の凹凸部３３ａを検出する検出部としての機能を有する。【００８６】
本体ユニット２のＦ−ＲＯＭ２９には、接続プラグ３３の凹凸部３３ａと固有データとを対応付ける固有データ参照テーブルが記憶されている。検出された接続プラグ３３の凹凸部３３ａに基づいて固有データ参照テーブルが参照され、凹凸部３３ａに対応する固有データが取得される。そして、取得された固有データは、本体ユニット２のＦ−ＲＯＭ２９に記憶される。【００８７】
以上のように、カメラユニット３の接続プラグ３３に、カメラユニット３の固有データに対応する凹凸部３３ａを形成し、カメラユニット３と本体ユニット２とを接続する際に、本体ユニット２のソケット部２０により接続プラグ３３の凹凸部３３ａを検出し、検出された接続プラグ３３の凹凸部３３ａに対応する固有データを本体ユニット２のＦ−ＲＯＭ２９に設定するので、カメラユニット３自体に固有データを記憶するための記憶手段が不要となり、カメラユニット３の小型化及びコスト削減を図ることができる。また、カメラユニット３を本体ユニット２に搭載する際、又は修理時やバージョンアップ時等、カメラユニット３を交換する際の作業の効率化を図ることができる。したがって、カメラユニット３の種類を自由に選択することが可能となる。【００８８】
なお、実施例４では、検出された接続プラグ３３の凹凸部３３ａに基づいて、Ｆ−ＲＯＭ２９に記憶されている固有データ参照テーブルが参照され、カメラユニット３の固有データが取得されることとしたが、固有データ参照テーブルをネットワーク接続可能なホストコンピュータのＤＢに予め記憶させておき、検出された接続プラグ３３の凹凸部３３ａに基づいて、携帯電話機の通信機能を用いて固有データを取得することとしてもよい。【００８９】
また、実施例４では、本体ユニット２のソケット部２０に設けられた可動部２０ａがカメラユニット３の接続プラグ３３の凸部に押圧されるか否かによって、接続プラグ３３の凹凸部３３ａを検出することとしたが、ソケット部２０の側面に発光部、その反対側の側面に受光部を設け、発光部から発せられた光が受光部で受光されるか否かによって、接続プラグ３３の凹凸部３３ａを検出することとしてもよい。【００９０】
また、カメラユニットに設けられた接続プラグに、カメラユニット固有の特性を測定して得られた固有データに対応して、電気を通す導電部と、電気を通さない非導電部とを設け、本体ユニットに設けられたソケット部に導電センサ部を設け、導電部及び非導電部を介して電流が流れるか否かを検出することによって、導電部及び非導電部を検出することとしてもよい。導電部は、薄い金属膜で構成されることが好ましい。このようにして検出された導電部及び非導電部に対応する固有データを本体ユニットの記憶手段（Ｆ−ＲＯＭ等）に設定することができる。したがって、カメラユニット自体に固有データを記憶するための記憶手段が不要となり、カメラユニットの小型化及びコスト削減を図ることができる。【００９１】
また、カメラユニットに設けられた接続プラグに、カメラユニット固有の特性を測定して得られた固有データに対応する発光部及び非発光部を設け、本体ユニットのソケット部に設けられた受光センサ部において光が検出されるか否かによって、発光部及び非発光部を検出することとしてもよい。この場合には、隣接する発光部及び非発光部を精度良く識別するために、発光部又は受光センサ部のいずれかに、光の回り込みを防止する壁を設ける必要がある。このようにして検出された発光部及び非発光部に対応する固有データを本体ユニットの記憶手段（Ｆ−ＲＯＭ等）に設定することができる。したがって、カメラユニット自体に固有データを記憶するための記憶手段が不要となり、カメラユニットの小型化及びコスト削減を図ることができる。【００９２】
上記各実施例では、携帯情報端末として携帯電話機について説明したが、これに限定されるものではなく、ＰＨＳ、ＰＤＡ、ノートパソコン等であってもよい。また、携帯情報端末を構成する各部の細部構成及び細部動作に関しても本発明の趣旨を逸脱することのない範囲で適宜変更可能である。
【産業上の利用可能性】
【００９３】
請求項１、７に記載の発明によれば、カメラユニット固有の特性を測定して得られた固有データを、カメラユニットに対応付けて固有データ専用記憶手段に記憶させておき、固有データ専用記憶手段から固有データを取得し、その固有データをカメラユニットが搭載されるべき携帯電話機に内蔵された記憶手段に設定するので、カメラユニット自体に固有データを記憶するための記憶手段が不要となり、カメラユニットの小型化及びコスト削減を図ることができる。また、カメラユニットを携帯電話機に搭載する際、又はカメラユニットを交換する際の作業の効率化を図ることができる。
【００９７】
請求項３、９に記載の発明によれば、カメラユニット固有の特性を測定する際に用いられるホストコンピュータに付属する記憶手段から固有データを取得して、携帯電話機の記憶手段に設定することができる。
【００９９】
請求項４、１０に記載の発明によれば、カメラユニットに設けられた接続プラグに、カメラユニット固有の特性を測定して得られた固有データに対応する凹凸部を形成し、カメラユニットが搭載されるべき携帯電話機に設けられ接続プラグが嵌合可能なソケット部に、接続プラグの凹凸部を検出する検出部を設け、検出部によって検出された接続プラグの凹凸部に対応する固有データを携帯電話機の記憶手段に設定するので、カメラユニット自体に固有データを記憶するための記憶手段が不要となり、カメラユニットの小型化及びコスト削減を図ることができる。また、カメラユニットを携帯電話機に搭載する際、又はカメラユニットを交換する際の作業の効率化を図ることができる。
【０１００】
請求項５、１１に記載の発明によれば、カメラユニットに設けられた接続プラグに、カメラユニット固有の特性を測定して得られた固有データに対応する導電部及び非導電部を設け、カメラユニットが搭載されるべき携帯電話機に設けられ接続プラグが嵌合可能なソケット部に、接続プラグの導電部及び非導電部を検出する検出部を設け、検出部によって検出された接続プラグの導電部及び非導電部に対応する固有データを携帯電話機の記憶手段に設定するので、カメラユニット自体に固有データを記憶するための記憶手段が不要となり、カメラユニットの小型化及びコスト削減を図ることができる。また、カメラユニットを携帯電話機に搭載する際、又はカメラユニットを交換する際の作業の効率化を図ることができる。
【０１０１】
請求項６、１２に記載の発明によれば、カメラユニットに設けられた接続プラグに、カメラユニット固有の特性を測定して得られた固有データに対応する発光部及び非発光部を設け、カメラユニットが搭載されるべき携帯電話機に設けられ接続プラグが嵌合可能なソケット部に、接続プラグの発光部及び非発光部を検出する検出部を設け、検出部によって検出された接続プラグの発光部及び非発光部に対応する固有データを携帯電話機の記憶手段に設定するので、カメラユニット自体に固有データを記憶するための記憶手段が不要となり、カメラユニットの小型化及びコスト削減を図ることができる。また、カメラユニットを携帯電話機に搭載する際、又はカメラユニットを交換する際の作業の効率化を図ることができる。
【図１】
0004822172.tif 000002
【図２】
0004822172.tif 000003
【図３】
0004822172.tif 000004
【図４】
0004822172.tif 000005
【図５】
0004822172.tif 000006
【図６】
0004822172.tif 000007
【図７】
0004822172.tif 000008
【図８】
0004822172.tif 000009
【図９】
0004822172.tif 000010
【図１０】
0004822172.tif 000011
【図１１】
0004822172.tif 000012